(57)【特許請求の範囲】
【請求項１】
ＦＲＰ等のプラスチック樹脂により一体成形され、底面よりも一段高い腰掛け面を底面の一部に設けた浴槽であって、
前記底面から腰掛け面に至る起立壁面と腰掛け面とが接する縁部に大腿部裏面の形状に近い状態で面取り部を左右一対形成し、
前記腰掛け面を設けた浴槽側面に対向・対面する反対側の浴槽側面上部に、入湯中の入浴者が首若しくは頭を後方に倒して寛ぐための枕状の突起部をプラスチック樹脂で一体成形し、
この突起部の内方面の傾斜角度を浴槽側面の傾斜角度よりも緩やかに形成し、
前記腰掛け面を浴槽側面に向けて低く傾斜させた排水勾配を形成し、
前記排水勾配で浴槽側面に向かって流れ込む湯水を底面に設けた排水口に向けて排水させるように腰掛け面と浴槽側面とが接する縁部に排水溝を設け、
枕状の突起部を有する側の浴槽側面において、底面から上部に向かう縦方向における形状が浴槽内側に向けて凸状に傾斜または湾曲した凸状部を形成し、
枕状の突起部とこの突起部を突出させた浴槽側面の上部との間に水平部を一体成形し、浴槽用の蓋の縁部が前記水平部に係止するように構成し、
横臥した状態で入湯中に手を掛けて横臥姿勢を保持する肘掛け状の突起部と、横臥状態から起立する際に体を支える手掛かりとなるへ字の山型を有する形状で浴槽側面において底面から内方へ突起部と同一量だけ突出したグリップ状の突起部とを浴槽側面に一体成形したことを特徴とする浴槽。
【請求項２】
底面に複数の突起部を一体に形成し、入浴者が底面に足を掛けたときに滑って転倒するのを防止するように構成したことを特徴とする請求項１に記載の浴槽。
【発明の詳細な説明】
【０００１】
【発明の属する技術分野】
この発明は、ＦＲＰ等によって一体成形により形成した浴槽に関するものである。
【０００２】
【従来の技術】
従来の浴槽としては、例えばＦＲＰ等で一体形成したプラスチック樹脂のものやステンレス等で形成した金属製のものが各種開発され、使用されている。
【０００３】
また、このような浴槽の中には、例えば底面の一部に一段高く形成した腰掛けを設けたものが開発されており、浅くなった腰掛け面に着座して腰から下を温める半身浴が行えるようになっている。また、この腰掛けを利用すれば、小さな子供でも安全に入浴できる。
【０００４】
【発明が解決しようとする課題】
しかしながら、このようなタイプの浴槽にあっては、底面からほぼ垂直に立ち上がった起立面と腰掛け面との交差する部分がほぼ直角をなすエッジを形成しており、例えば半身浴のために入浴者が腰掛け面に腰を掛けると、そのエッジの部分に大腿部の裏側が接触して痛みを感じることがあり、快適さを損なう。
【０００５】
また、腰掛け面よりも水面が低くなるように湯を入れた場合には、腰掛け面に水が溜まり易く、その結果、着座したときに滑るといった危険性をもたらすとともに水が跳ねる等といったトラブルを生じている。
【０００６】
さらに、入浴中に横臥した姿勢を保つたり、横臥した状態から立ち上がって起きるために、浴槽の側面や浴槽に隣接する壁にグリップや手摺りを後付けで設けた場合には、部品コストがかかるとともに意匠的に調和させるのが難しく、違和感を伴う場合がある。また、このグリップや手摺りは外部に大きめに飛び出ている場合が多く、入浴者が不用意に手足を引っかける虞れがある。
【０００７】
また、ゆったりくつろいで湯に漬かろうとする場合には、体を横臥させるとともに首や頭を後方に倒して背骨を延ばそうとしても、首や頭を支えるものがないので、十分に満足したリラックス感が得られない場合が多い。
【０００８】
そこで、この発明は、上記した欠点に鑑み、腰掛け面に着座した場合の使用感及び安全性の向上を図るとともに、入浴時の体姿勢保持及び起立する際の手掛かりとなるものが見栄え良くまた邪魔にならぬように使い勝手良く設けられ、かつ、ハイレベルのリラックス感をもたらすことができる浴槽を提供することを目的とするものである。
【０００９】
【課題を解決するための手段】
即ち、この発明は、ＦＲＰ等のプラスチック樹脂により一体成形され、底面よりも一段高い腰掛け面を底面の一部に設けた浴槽であって、前記底面から腰掛け面に至る起立壁面と腰掛け面とが接する縁部に大腿部裏面の形状に近い状態で面取り部を左右一対形成し、前記腰掛け面を設けた浴槽側面に対向・対面する反対側の浴槽側面上部に、入湯中の入浴者が首若しくは頭を後方に倒して寛ぐための枕状の突起部をプラスチック樹脂で一体成形し、この突起部の内方面の傾斜角度を浴槽側面の傾斜角度よりも緩やかに形成し、前記腰掛け面を浴槽側面に向けて低く傾斜させた排水勾配を形成し、前記排水勾配で浴槽側面に向かって流れ込む湯水を底面に設けた排水口に向けて排水させるように腰掛け面と浴槽側面とが接する縁部に排水溝を設け、枕状の突起部を有する側の浴槽側面において、底面から上部に向かう縦方向における形状が浴槽内側に向けて凸状に傾斜または湾曲した凸状部を形成し、枕状の突起部とこの突起部を突出させた浴槽側面の上部との間に水平部を一体成形し、浴槽用の蓋の縁部が前記水平部に係止するように構成し、横臥した状態で入湯中に手を掛けて横臥姿勢を保持する肘掛け状の突起部と、横臥状態から起立する際に体を支える手掛かりとなるへ字の山型を有する形状で浴槽側面において底面から内方へ突起部と同一量だけ突出したグリップ状の突起部とを浴槽側面に一体成形したものである。
【００１０】
【発明の実施の形態】
以下、この発明の実施例について添付図面を参照しながら説明する。
図１は、この発明に係る浴槽を示すものであり、この浴槽には、浴槽本体１の底面２より一段高い腰掛け面３が底面２側に一部形成されているとともに、腰掛け面３と交差した浴槽側面４にほぼ直交する浴槽側面５、６には、肘じ掛け状の突起部５１、６１（浴槽側面６側の突起部６１は図２参照）及びグリップ状の突起部５２、６２（浴槽側面６側の突起部６２は図２参照）が形成されている。さらにまた、この浴槽には、浴槽側面４と対向する浴槽側面７の上部に、枕状の突起部８が形成されている。
【００１１】
図２に示す底面２には、最も低い位置に排水口２１が形成されているとともに、底面２のほぼ全体に亘って略円形をなす突起部２２が多数形成されており、入浴者が足を掛けたとき等に滑って転倒するのを防止するようになっている。なお、この底面２のノンスリップ加工としては、特にこの突起に限定されるものではなく、例えば底面の表面自体にエンボス加工を施したり、摩擦抵抗を大きくするような適宜の加工が適用可能である。
【００１２】
この腰掛け面３は、浴槽側面４に向けて低くなるように勾配（以下、排水勾配とよぶ）が付けてあるとともに、この腰掛け面３の浴槽側面４と接する３方向（３辺）の隅部分には、略コ字型の排水溝３１が形成されている。さらにまた、この腰掛け面３と底面２から立ち上がって腰掛け面３に至る起立壁面９とが交わる縁部には、着座した入浴者の大腿部裏面が接触したときに不快感や痛みを伴わぬように、大腿部裏面の形状に近い状態で面取りされた部分（面取り部）３２が左右一対形成されている。なお、この面取り部の他に、例えば湾曲曲面状にＲ加工した形状であってもよい。
【００１３】
肘じ掛け状の突起部５１は、浴槽側面５において底面２から特定の高さだけ水平方向に僅かに内方（浴槽内）へ突出しており、（浴槽側面７に背を当て）横臥した状態で入湯中の入浴者が上半身を傾斜させた姿勢を保持させるため、肘や手等を掛けることができるようになっている。なお、肘じ掛け状の突起部６１も突起部５１と対称的に形成されており、浴槽側方６において底面２から特定の高さだけ内方（浴槽内）に突出している。
【００１４】
また、グリップ状の突起部５２は、横臥・入湯中の入浴者が起立して立ち上がるときに体を支える手掛かりとするものであって、略ヘ字の山型を有する形状で浴槽側面５において底面２から内方（浴槽内）へ突起部５１とほぼ同一量だけ突出している。またこの突起部５２の形状は、図３に示すように、入浴者が入湯・横臥するときの向きに対応し、山型の斜面５２Ａが腰掛け面３に向けて（入浴時の足方向に向けて）急傾斜をなしているとともに、反対側の斜面５２Ｂが緩傾斜をなしており、これにより横臥した状態の入浴者が手で突起部５２を掴んで起き上がり易くなっている。このグリップ状の突起部の形状としては、例えばこの形状のものに限定されるものではなく、同様に手で把持し易い形状であればそれでもよい。
【００１５】
また、この実施例の突起部５２は、突起部５１と連続して一体に連なっている（浴槽と一体成形されている）が、特に双方の突起部を連続させずに、分離・分断させもよい。なお、グリップ状の突起部６２も突起部６１と対称的に形成されており、浴槽側方６から内方（浴槽内）に同量だけ突出しているが、図４に示すように、これらの突起部５１、５２及び６１、６２の突出量だけ浴槽外壁面の上部側が膨出して（浴槽外壁面の下部側が窪んで）いる。
【００１６】
枕状の突起部８は、横臥した入浴者の頭や首を支えるものであって、腰掛け面を設けた浴槽側面４に対向・対面する反対側の浴槽側面７の上部に浴槽本体１と一体成形されており、横臥した状態で入湯中の入浴者が首若しくは頭を後方に倒してもたれ掛かることができるようになっている。また、この突起部８の首や頭を支える内方面８１の傾斜角度は、図３に示すように、浴槽側面７の傾斜角度θ１よりも緩やかな角度θ２（但し、θ１＞θ２）に形成すればリラックス感が一層高まり、好ましい。
なお、図５に示すように、突起部８を突出させている浴槽側面７の上部には水平部７１を設け、この水平部７１に浴槽蓋の縁部が係止するようにすれば、浴槽内の密閉性が保たれて湯が冷めるのを防止できる。
【００１７】
また、枕状の突起部８を上部に設けた浴槽側面７は、入浴者が背骨を延ばしてリラックスすることができるように、即ち図３に示すように、底面２から上部に向かう縦方向の形状が凸状に傾斜・湾曲した凸状部７２を有している。即ち、丁度突起部５１、５２の形成されているレベル位置に合わせて傾き具合を変えて（そこより下部が急傾斜でそこより上部が緩傾斜の形状）エッジ状の突起が形成されている。なお、この浴槽側面７の凸状形状としては、全体的に凸曲面で形成してもよいし、複数の分割された平面を凸状に組み合わせて形成させたものであってもよい。
【００１８】
従って、この実施例によれば、腰掛け面３を半身浴として使用することの他に、例えば小さな子供や老人などが浴槽内に入り込む場合に、初め腰掛け面３に足を掛けてステップ替わりに使用することができるが、排水勾配と排水溝３１とによって効果的に排水させている（腰掛け面３に水が溜まりにくい構造）ので、足を滑らせる危険性が少なく、安全性の点で都合がよい。また、半身浴のために腰掛けた時にも、腰掛け面３から底面２に滑り落ちることを防止できる。
【００１９】
【発明の効果】
以上説明してきたように、この発明によれば、底面よりも一段高い腰掛け面を底面の一部に設けた一体成形の浴槽からなり、通常の全身浴ばかりでなく、腰掛け面に腰掛けて入浴すれば下半身を温めることができる、しかも小さな子供や老人等がその腰掛け面に足を掛けて浴槽に入ればステップとしても使用でき、子供や老人或いは身障者でも一人で入浴できる安全性の高い浴槽が提供できる。
【００２０】
しかもまた、この発明によれば、底面から腰掛け面に至る起立壁面と腰掛け面とが接する縁部に大腿部裏面の形状に近い状態で面取りされた面取り部を左右一対形成し、腰掛け面を浴槽側面に向けて低く傾斜させた排水勾配を形成し、排水勾配で浴槽側面に向かって流れ込む湯水を底面に設けた排水口に向けて排水させるように腰掛け面と浴槽側面とが接する縁部に排水溝を設けたので、腰掛け面に着座した入浴者の大腿部裏面が接触したときに痛み等の不快さや使用感の悪さを与えぬ快適な半身浴が行えるとともに、排水性が高まり腰掛け面に水が溜まらないから、腰掛け面に足を掛けたときに滑ったり、腰掛けたときに滑り落ちるといった危険性も回避できる。さらに、入浴時の姿勢は、例えば腰掛け面と底面とをつなぐ起立壁面に入浴者が足を掛けて（突張って）保持しても足に痛みや不快感を伴わなく行えるようになり、サイズの大きな浴槽に体の小さな入浴者が入浴する場合であっても、この動作が行え入浴者の安全の確保が可能となる。
【００２１】
また、この発明によれば、横臥した状態で入湯中に手を掛けて横臥姿勢を保持する肘掛け状の突起部と、横臥状態から起立する際に体を支える手掛かりとなるへ字の山型を有する形状で浴槽側面において底面から内方へ突起部と同一量だけ突出したグリップ状の突起部とを浴槽の側面に形成したので、半身浴及び全身浴のためにどちらの方向に向いて入浴しても、これらの突起部を手で掴んだり、腕で支えることで入浴時の姿勢を確実に保持することができ、安全性の向上ばかりかリラックスした寛ぎ感をももたらすことができる。しかも、これらの突起部を浴槽の側面に一体に形成したので、製造コストの削減が図れるとともに外観的な見栄えも良く、意匠性も高まる。しかもこの突起部は、従来の後付けタイプの手摺り状のものに比べてそれほど突出している訳ではないので、足や手を引っかけて転倒するといった事故が防止できる。
【００２２】
また、この発明によれば、腰掛け面を設けた浴槽側面に対向・対面する反対側の浴槽側面上部に、入湯中の入浴者が首若しくは頭を後方に倒してもたれるための枕状の突起部を一体成形したので、体を横臥した状態のまま、首や頭を自由に、かつ、自然に突起部にもたれかける（後方へ倒す）ことができるから、大きな寛ぎが得られる。
【００２３】
また、この発明によれば、枕状の突起部を有する側の浴槽側面において、底面から上部に向かう縦方向における形状が浴槽内側に向けて凸状に傾斜または湾曲した凸状部に形成されているので、枕状の突起部と合わせて、背中を延ばして寛いだ姿勢が取れるようになるなど、一層大きなリラックス感が得られる。
【図面の簡単な説明】
【図１】  この発明に係る浴槽を示す斜視図。
【図２】  同平面図。
【図３】  同断面図。
【図４】  同側面図。
【図５】  変形例を示す説明図。
【符号の説明】
１  浴槽本体
２  底面
３  腰掛け面
３１  排水溝
３２  面取部
４、５、６、７  浴槽側面
５１、５２、８  突起部
７２  突状部
９  起立壁面
【図１】
0004340340.tif 000002
【図２】
0004340340.tif 000003
【図３】
0004340340.tif 000004
【図４】
0004340340.tif 000005
【図５】
0004340340.tif 000006